(57)【要約】      （修正有）【課題】ガードの留め具を背面部にコの字型に挿し込む形状にすることにより、サンプル収納ケースとして、サンプルに適した大きさとなり、嵌合が簡単で作業性が良いサンプル収納ケースを提供することを目的とする。【解決手段】取り付け部１、背面部２、底部３、前面部４、一組のガード部５からなる熱可塑性樹脂製のサンプル収納ケースであって、背面部の裏面に凹部８の溝を複数本設け、一組のガード部は、半円形状とコの字型留め具６を有し、該コの字型留め具は背面部をコの字型に挿し込む形状を有し、コの字型の先端に留め具側凸部７を設け、該一組のガード部を背面部に両側から挿し込み背面部の凹部と留め具側凸部を嵌合することを特徴とするサンプル収納ケース。【選択図】図１
0003107733.tif 000002
【実用新案登録請求の範囲】
【請求項１】
取り付け部、背面部、底部、前面部、一組のガード部からなる熱可塑性樹脂製のサンプル収納ケースであって、
背面部の裏面に凹部の溝を複数本設け、一組のガード部は、半円形状とコの字型留め具を有し、該コの字型留め具は背面部をコの字型に挿し込む形状を有し、コの字型の先端に留め具側凸部を設け、該一組のガード部を背面部に両側から挿し込み、背面部の凹部と留め具側凸部を嵌合することを特徴とするサンプル収納ケース。
【考案の詳細な説明】
【考案の詳細な説明】
【技術分野】
【０００１】  本考案は、例えばサイズの違う化粧品のサンプルを、陳列棚に取り付けて飾るためのサンプル収納ケースに関する。
【背景技術】
【０００２】この種のサンプル収納ケースは従来から使用されている。
特許文献１は、自動前出しを維持しつつ、商品のサイズに合わせて設定出来て模様替えが容易で、在庫管理も少なくかつ構造も簡単な商品陳列ユニットを提供する。商品のサイズを合わせる構造として位置設定機の上に線条溝（凹部の溝）を設け、側板及び仕切り板の下部に同形状の凸部を儲け、嵌合する構造になっている。
また、図２に示すとおり、商品のサイズに合わせて設定出来、陳列棚に取り付ける構造を有するサンプル収納ケースも商品として流通している。
該サンプル収納ケースは商品のサイズに合わせる為に、留め具の下側に凹部の溝を設け、底部の上面に該凹部に嵌合する凸部を設けている。該サンプル収納ケースを用いて、商品のサイズに合わせるときは、一組のガードを両側から挿し込み調整する。このとき両側のガード部が、背面部と前面部で重なる。【０００３】上記のようなサンプル収納ケースは、それぞれ下記のような欠点があり、解決が望まれていた。
特許文献１は、商品の自動前だし装置を付けたもので、装置が複雑で、不具合な大きさであり、本願考案の商品のサイズのみを調整して、飾るケースとしては不向きである。
また、図２のサンプル収納ケースはガードを挿し込むとき、ガードの背面部と前面部が重なるので、セットが非常に面倒で作業性が悪い。また、留め具の下側に凹部の溝を設け底部の上面に凸部を設けているので、ガードを引っ張ると凹部の溝が浮き上がる構造であり、大きく反応し適当な位置に留め難く、閉じるときは食い込む方向で閉めにくい。更にガード部が重なっているのでガード部の開閉がスムーズに行かない。【０００４】
【特許文献１】        特開平１１−３４２０５４号公報
【考案の開示】
【考案が解決しようとする課題】
【０００５】
【０００６】  本考案は、以上のような従来の技術的課題を解決するものであり、一組のガードの留め具を背面部にコの字型に挿し込む形状にすることにより、サンプル収納ケースとして、サンプルに適した大きさに調整でき、嵌合が簡単で作業性の良いサンプル収納ケースを提供することを目的とする。
【課題を解決するための手段】
【０００７】  本考案は、取り付け部、背面部、底部、前面部、一組のガード部からなる熱可塑性樹脂製のサンプル収納ケースであって、背面部の裏面に凹部の溝を複数本設け、一組のガード部は、半円形状とコの字型留め具を有し、該コの字型留め具は背面部をコの字型に挿し込む形状を有し、コの字型の先端に留め具側凸部を設け、該一組のガード部を背面部に両側から挿し込み、背面部の凹部と留め具側凸部を嵌合することを特徴とするサンプル収納ケースに関する。
【考案の効果】
【０００８】  本考案のサンプル収納ケースによれば、装置が簡単で適当な大きさである。また、一組のガードを挿しこんでサンプルをセットするとき、嵌合が簡単で作業性が良い。
【考案を実施するための最良の形態】
【０００９】（ａ）取り付け部
本願考案の取り付け部は、陳列棚に取り付け部を掛けて取り付けたとき、商品のサンプルを覗きやすくするため底部を水平より１度〜２０度、好ましくは２度〜１０度下げた状態が良い。側板は強度を出すために設けても良い。【００１０】（ｂ）背面部
本願考案の背面部は背面部の裏面、つまり、サンプルを収納する反対側に凹部の溝を複数本設けた構造である。凹部の溝の深さと幅はガードの留め具に設けた凸部と嵌合する厚さと幅にすることが必要である。凹部の溝の数は一組の該ガードを挿し込んだとき、該ガード部のコの字型留め具の互いの先端が、接触する位置から左右対称に２本〜８本が良い。【００１１】（ｃ）底部
本願考案の底部は陳列棚に取り付けたとき、商品のサンプルを覗き易くするため底部を水平より１度〜２０度、好ましくは２度〜１０度下げた状態が良い。側板は強度を出すために設けても良い。【００１２】（ｄ）前面部
本願考案の前面部は意匠性のある構造にしても良いが、説明書、商品名等を記したカードを挿しこむように、前後に二重構造とし、該カードを押さえる凸部を設けると良い。【００１３】本考案で作製する各部の肉厚は０．８ｍｍ〜５ｍｍ、が良く、更に好ましいのは１ｍｍ〜３ｍｍ、の肉厚の形状のものが成形性、作業性の点から優れている。【００１４】（ｅ）一組のガード部
本願考案の一組のガード部は厚さ１ｍｍ〜５ｍｍ、幅２ｍｍ〜５０ｍｍであり、半円形状のサンプルをガードする部分の片方にコの字型の留め具が延長している形状である。該コの字型の留め具は背面部をコの字型に挿し込み、留め具と背面部は間隙がなく、コの字型の先端に厚さ１ｍｍ〜５ｍｍ、幅２ｍｍ〜５０ｍｍの留め具側凸部を設け、該一組のガード部を、背面部に両側から熱可塑性樹脂の柔軟性を利用して強引に挿し込み、背面部の凹部と留め具側凸部を嵌合することによってサンプル収納ケースは作製される。つまり、該一組のガード部をセットして、前面部、半円形状とコの字型留め具を有した一組のガード部、コの字型留め具を挿しこんだ背面部、底部を含め５面のケースとなり、サンプルを入れるサンプル収納ケースとなる。【００１５】背面部の凹部の溝は留め具の凸部と嵌合するように厚さ０．５ｍｍ〜４．９ｍｍ、と幅１．５ｍｍ〜４９．９ｍｍが設けられており、さらに、凹部の溝が複数本設けてあるので、サンプルの大きさに合わせてガード部の位置を調整する。例えば、サンプルが大きいときは一組のガード部を左右に広げ最適な位置を選択する。該ガードを調整することにより、サンプルの形状に合った、サンプル収納ケースとして使用可能である。【００１６】また、一組のガードを開閉するときは留め具のコの字型部を持って左右に動かすと簡単に開閉する。一組のガード部同士が重なることが無いので動きはスムーズである。
また、半円形状部を左右に開閉することは嵌合部が背面部の裏側にあるため開閉しない。このことは半円形状部を持って開くときは留め具の凸部は背面部の凹部に食い込む作用が働くので、一組のガードは開かず、逆に半円形状部を持って閉じるときは留め具の凸部が浮き上がる方向に作用する。つまり、留め具は開く方向に作用するので一組のガードは閉じないのである。【００１７】（ｆ）熱可塑性樹脂
熱可塑性樹脂は、いかなるものでもよいが、例えば、ポリ塩化ビニル、ポリスチレンやアクリロニトリル−ブタジエン−スチレン共重合体（ＡＢＳ樹脂）などのポリスチレン系樹脂、アクリレート／メタクリレート系樹脂などの、ビニルモノマー重合体または共重合体；低密度ポリエチレン、中密度ポリエチレン、高密度ポリエチレン、ポリプロピレン、ポリブテン−１、ポリ４−メチルペンテン−１などの、ポリα−オレフィン；プロピレン−エチレンブロック共重合体、プロピレン−エチレンランダム共重合体などの、α−オレフィンどうし、またはα−オレフィンと他のモノマーとの共重合体；その他のポリオレフィン系樹脂；ナイロン６、ナイロン６６、ナイロン１２などのポリアミド；ポリエチレンテレフタレート、ポリブチレンテレフタレートなどの芳香族系ポリエステルおよび脂肪族系ポリエステル；液晶ポリエステル；ポリフェニレンオキシドなどの芳香族ポリエーテル；ポリアセタール系樹脂、ポリカーボネート系樹脂；ポリイミド、ポリスルホン、ポリエーテルスルホンなどのスルホン系ポリマーなどが挙げられる。
【実施例】
【００１８】
【００１９】  以下、本願考案の実施例を説明するが、本考案はこれらの実施例により限定されるものではない。
【実施例１】
【００２０】取り付け部及び側板、背面部、底部及び側板、前面部を厚さ３ｍｍ、幅４７ｍｍで一体成形した。このとき背面部の凹部の溝は深さ１ｍｍ、幅２ｍｍを左右６本ずつ設けた。底部は水平面に対し５度下げる構造で、射出成形の金型を作製し、射出成形で作製した。
一組のガード部は厚さ２ｍｍ、幅３０ｍｍの半円形状のサンプルをガードする部分の片方に延長してコの字型の留め具部を設けた。このとき、該コの字型の留め具は背面部をコの字型に挿し込んだとき、留め具と背面部は間隙がなく、コの字型の先端に厚さ０．６ｍｍ、幅１．７ｍｍの留め具側凸部を設けた構造で、射出成形の金型を作製し、射出成形で作製した。この後、取り付け部及び側板、背面部、底部及び側板、前面部の成形品本体に、一組のガード部の成形品を挿し込んで、サンプルの大きさにセットし、サンプル収納ケースを作製した。【００２１】該サンプル収納ケースの作製に関し、成形品本体の成形条件はポリスチレン樹脂、電気化学工業社製、ＭＷ１を使用し、型締め圧１００ｔの射出成形機、東芝機械社製、Ｆ−ＩＩＩを用いて成形温度２００℃で一括成形した。
ガード部の成形条件はポリスチレン樹脂、電気化学工業社製、ＭＷ１を使用し、型締め圧１００ｔの射出成形機、東芝機械社製、Ｆ−ＩＩＩを用いて成形温度２００℃で一括成形した。
【比較例１】
【００２２】市販されているケースであって、実施例１に相当する取り付け部、背面部、底部、前面部は有しているが、一組のガード部の構造が全く違うので、それに伴う留め具も違う。
一組のガード部は机の引き出しの底部半面がない形状である。該ガードの底部の裏面に複数の凹部の溝がある。該凹部の溝に嵌合するように底部上面の左右に一組の凸部を設けてある。該ガード部は引き出し状であるから背面部、前面部の全部と底部の一部は重なる構造である。更に左右のガード部を挿し込むと、一組のガード部同士で、背面部と前面部の位置で重なる構造である。該一組のガード部を挿し込むとき、重なる瞬間挿し込み口のストッパーを見て内側と外側を判断し、挿しこまなければならず非常に面倒である。
また、一組のガード部の上部を持ってガード部を開閉するときに関し、ガード部を開くときはガード部側の凹部の溝が浮き上がる方向で、大きく反応し適当な位置に留め難く、閉じるときは食い込む方向で閉めにくい。この反応は実施例１に比べ、コの字型になってない分、直接的で大きく作用する。更にガード部が重なっている故、開閉がスムーズに行かない。
【産業上の利用可能性】
【００２３】
【００２４】  本考案のサンプル収納ケースは、サンプルに適した大きさに調整でき、ガードを挿しこむとき、嵌合が簡単で作業性が良い。販促用、試供品用の化粧品のサンプルを収納するケースとして使用するのに重宝である。化粧品だけでなく装飾品、文具、携帯電話、時計、弱電製品のサンプル収納ケースとしても使用可能である。
【図面の簡単な説明】
【００２５】
【図１】図１は本考案サンプル収納ケースの１態様の説明図である。
【図２】図２はサンプル収納ケースの比較例１の説明図である。
【符号の説明】
１．    取り付け部
２．    背面部
３．    底部
４．    前面部
５．    ガード部
６．    コの字型留め具
７．    留め具側凸部
８．    背面部の凹部
９．    側板
１０．  ガード挿し込み口
１１．  ストッパー
１２．  底部上面の凸部
１３．  ガード部裏面の凹部
【図１】
0003107733.tif 000003
【図２】
0003107733.tif 000004
【手続補正書】
【提出日】平成16年10月5日(2004.10.5)
【手続補正１】
【補正対象書類名】実用新案登録請求の範囲
【補正対象項目名】全文
【補正方法】変更
【補正の内容】
【実用新案登録請求の範囲】
【請求項１】
取り付け部１、背面部２、底部３、前面部４、一組のガード部５からなる熱可塑性樹脂製のサンプル収納ケースであって、背面部２はサンプルを収納する背面部２の裏面に凹部８の溝を複数本設け、底部３は水平より１度〜２０度下げ、前面部４はカードを差し込む二重構造とし、一組のガード部５は、半円形状とコの字型留め具６を有し、該コの字型留め具６は背面部２をコの字型に挿し込む形状を有し、コの字型の先端に留め具側凸部７を設け、該一組のガード部５を背面部２に両側から挿し込み、背面部２の凹部８と留め具側凸部７を嵌合し、サンプルの大きさに合わせて一組のガード部５を左右に広げて調整することを特徴とするサンプル収納ケース。
【手続補正２】
【補正対象書類名】明細書
【補正対象項目名】０００７
【補正方法】変更
【補正の内容】
【０００７】  本考案は、取り付け部１、背面部２、底部３、前面部４、一組のガード部５からなる熱可塑性樹脂製のサンプル収納ケースであって、背面部２はサンプルを収納する背面部２の裏面に凹部８の溝を複数本設け、底部３は水平より１度〜２０度下げ、前面部４はカードを差し込む二重構造とし、一組のガード部５は、半円形状とコの字型留め具６を有し、該コの字型留め具６は背面部２をコの字型に挿し込む形状を有し、コの字型の先端に留め具側凸部７を設け、該一組のガード部５を背面部２に両側から挿し込み、背面部２の凹部８と留め具側凸部７を嵌合し、サンプルの大きさに合わせて一組のガード部５を左右に広げて調整することを特徴とするサンプル収納ケースに関する。
【手続補正３】
【補正対象書類名】明細書
【補正対象項目名】００２０
【補正方法】変更
【補正の内容】
【００２０】
【実施例１】
取り付け部１及び側板９、背面部２、底部３及び側板９、前面部４を厚さ３ｍｍ、幅４７ｍｍで一体成形した。このとき背面部２の凹部８の溝は深さ１ｍｍ、幅２ｍｍを左右６本ずつ設けた。底部３は水平面に対し５度下げる構造で商品サンプルを覗き易くした。射出成形の金型を作製し、射出成形で作製した。
一組のガード部５は厚さ２ｍｍ、幅３０ｍｍの半円形状のサンプルをガードする部分の片方に延長してコの字型の留め具６部を設けた。このとき、該コの字型の留め具６は背面部２をコの字型に挿し込んだとき、留め具と背面部２は間隙がなく、コの字型の先端に厚さ０．６ｍｍ、幅１．７ｍｍの留め具側凸部７を設けた構造で、射出成形の金型を作製し、射出成形で作製した。この後、取り付け部１及び側板９、背面部２、底部３及び側板９、前面部４の成形品本体に、一組のガード部５の成形品を挿し込んで、サンプルの大きさにセットし、前面部４の前後の二重構造に説明書、商品名等を記したカードを挿しこみサンプル収納ケースを作製した。